(57)【要約】【課題】各扁平管に対して冷媒を上昇させながら分流させる構造において、冷媒を上昇させる距離を短くすることで偏流を抑制することが可能な熱交換器および空気調和装置を提供する。【解決手段】室外熱交換器２０の折返しヘッダ集合管２３の第１内部空間２３ａの異なる高さ位置に、複数の扁平多穴管２１ｂが接続されている。第１内部空間２３ａは、第１上室整流板４１の第１上室流入口４１ｘを上方に向けて通過した冷媒が扁平多穴管２１ｂが接続されている第１上室流出空間５１ａ内を上昇するように構成されつつ、第１下室整流板６１の第１下室流入口６１ｘを下方に向けて通過した冷媒が第１上室仕切板５１によって仕切られた第１上室ループ空間５１ｂを降下して第１上室下連通路５１ｙを通過した後に扁平多穴管２１ｂが接続されている第１下室流出空間７１ａ内を上昇するように構成されている。【選択図】図１０
2015127620.tif 000002
【特許請求の範囲】
【請求項１】
それぞれ複数の長手方向に延びた冷媒通路を有しており、互いに並んで配置された複数の扁平管（２１ｂ）と、
前記扁平管の一端が接続されており、鉛直方向に沿って延びたヘッダ集合管（２３）と、
前記扁平管に接合された複数のフィン（２１ａ）と、
を備える熱交換器（２０）であって、
前記ヘッダ集合管（２３、１２３）は、内部空間を、上室（５１ａ、５１ｂ、５２ａ、５２ｂ）と、下室（７１ａ、７１ｂ、７２ａ、７２ｂ）と、前記上室と前記下室の間に位置する中央入口室（４１ａ、４２ａ）と、を有しており、
前記中央入口室には、冷媒が導入される中央流入口（２４ａ、２５ａ）が形成されており、
前記上室と前記中央入口室とは、上方流入口（４１ｘ、４２ｘ）を介して連通しており、
前記下室と前記中央入口室とは、下方流入口（６１ｘ、６２ｘ）を介して連通しており、
前記下室は、前記扁平管が上下に並んで複数接続されている下方第１空間（７１ａ、７２ａ）と、前記下方流入口（６１ｘ、６２ｘ）と連通しており、前記下方第１空間（７１ａ、７２ａ）とは前記下室の下方に設けられた下室下方連通路（７１ｙ、７２ｙ）を介して連通しつつ下方仕切部材（７１、７２）によって仕切られている下方第２空間（７１ｂ、７２ｂ）と、を有しており、前記下方流入口（６１ｘ、６２ｘ）を介して前記下方第２空間（７１ｂ、７２ｂ）に流入した後に前記下室下方連通路（７１ｙ、７２ｙ）を介して前記下方第１空間（７１ａ、７２ａ）に到達した冷媒が上昇するように構成されている、
熱交換器（２０）。
【請求項２】
前記上室は、前記上方流入口（４１ｘ、４２ｘ）と連通しており、前記扁平管が上下に並んで複数接続されている上方第１空間（５１ａ、５２ａ）と、前記上方第１空間（５１ａ、５２ａ）とは前記上室の上方に設けられた上室上方連通路（５１ｘ、５２ｘ）および前記上室の下方に設けられた上室下方連通路（５１ｙ、５２ｙ）を介して連通しつつ上方仕切部材（５１、５２）によって仕切られている上方第２空間（５１ｂ、５２ｂ）と、を有しており、前記上方流入口（４１ｘ、４２ｘ）を介して前記上方第１空間（５１ａ、５２ａ）に流入した後に前記上室上方連通路（５１ｘ、５２ｘ）を介して前記上方第２空間（５１ｂ、５２ｂ）に冷媒が到達することがあっても当該冷媒を前記上室下方連通路（５１ｙ、５２ｙ）を介して前記上方第１空間（５１ａ、５２ａ）に再び導くように構成されている、
請求項１に記載の熱交換器。
【請求項３】
前記下方第１空間と前記下方第２空間は、さらに、前記下室の上方に設けられた下室上方連通路（７１ｘ、７２ｘ）を介して連通しており、
前記下室は、前記下方第１空間を上昇した後に前記下室上方連通路を介して前記下方第２空間に冷媒が到達することがあっても当該冷媒を前記下室下方連通路を介して前記下方第１空間に再び導くように構成されている、
請求項１または２に記載の熱交換器。
【請求項４】
前記扁平管は、前記中央入口室（４１ａ、４２ａ）に対しても接続されている、
請求項１から３のいずれか１項に記載の熱交換器。
【請求項５】
前記中央入口室には、前記中央流入口を通過した冷媒流れが、前記中央入口室に接続されている前記扁平管に対してそのまま到達することを抑制する遮断部材（８１）が設けられている、
請求項４に記載の熱交換器。
【請求項６】
請求項１から５のいずれか１項に記載の熱交換器（２０）と、容量可変の圧縮機（９１）と、が接続されて構成される冷媒回路を備えた空気調和装置（１）。
【発明の詳細な説明】
【技術分野】
【０００１】
本発明は、熱交換器および空気調和装置に関する。
【背景技術】
【０００２】
従来より、複数の扁平管と、複数の扁平管に接合されたフィンと、複数の扁平管の一端側と他端側にそれぞれ連結されたヘッダ集合管とを備え、扁平管の内部を流れる冷媒を扁平管の外部を流れる空気と熱交換させる熱交換器が知られている。
【０００３】
例えば、特許文献１（特開平２−２１９９６６号公報）に記載の熱交換器では、水平方向に延びた複数の流出管の両端が、それぞれ上下方向に延びたヘッダ集合管に接続されて構成されている。
【０００４】
この特許文献１に記載の熱交換器では、上下方向に延びたヘッダ集合管の内部において、比重の大きい液相冷媒が下方に集まり比重の小さな気相冷媒が上方に集まることで偏流が生じることを課題として捕らえ、これを解決するために、ヘッダ集合管の内部において絞りを形成することを提案している。
【０００５】
このように形成した絞りを通過させることで、気相冷媒と液相冷媒とを混合させやすくしつつ、冷媒の流速を向上させてヘッダ集合管内の上方にまで到達させやすくすることで、冷媒の偏流を抑制させようとしている。
【発明の開示】
【発明が解決しようとする課題】
【０００６】
上記特許文献１では、ヘッダ集合管の高さ方向中央近傍に冷媒導入口としての絞りが設けられた例（特許文献１の図７参照）が示されている。この例では、当該絞りがヘッダ集合管内の高さ方向中央近傍に設けられているために、絞りが下端に設けられる場合と比較して、当該絞りから冷媒を到達させる上端までの距離を短くすることができている。このため、当該絞りを通過して上昇するように流れる冷媒を、上端まで到達しやすくすることができている。
【０００７】
ところが、当該絞りの上方に位置する扁平管に対しては、絞りを通過した冷媒は上昇した後で各扁平管に分配されるのに対して、当該絞りの下方に位置する扁平管に対しては、絞りを通過した冷媒は下降しながら各扁平管に分配される。このため、当該絞りの上方に位置する扁平管と当該絞りの下方に位置する扁平管とでは、冷媒の供給のされ方が異なり、重力の影響も異なるため、偏流が生じてしまうおそれがある。
【０００８】
本発明は上述した点に鑑みてなされたものであり、本発明の課題は、各扁平管に対して冷媒を上昇させながら分流させる構造において、冷媒を上昇させる距離を短くすることで偏流を抑制することが可能な熱交換器および空気調和装置を提供することにある。
【課題を解決するための手段】
【０００９】
第１観点に係る熱交換器は、複数の扁平管、ヘッダ集合管および複数のフィンを備えている。複数の扁平管は、それぞれ複数の長手方向に延びた冷媒通路を有している。この複数の扁平管は、互いに並んで配置されている。ヘッダ集合管は、扁平管の一端が接続されており、鉛直方向に沿って延びている。複数のフィンは、扁平管に接合されている。ヘッダ集合管は、内部空間を、上室と、下室と、上室と下室の間に位置する中央入口室と、を有している。中央入口室には、冷媒が導入される中央流入口が形成されている。上室と中央入口室とは、上方流入口を介して連通している。下室と中央入口室とは、下方流入口を介して連通している。下室は、下方第１空間と下方第２空間を有している。下方第１空間は、扁平管が上下に並んで複数接続されている。下方第２空間は、下方第１空間とは、下室の下方に設けられた下室下方連通路を介して連通しつつ下方仕切部材によって仕切られている。下方第２空間は、下方流入口と連通するように設けられている。この下室は、下方流入口を介して下方第２空間に流入した後に下室下方連通路を介して下方第１空間に到達した冷媒が上昇するように構成されている。
【００１０】
この熱交換器では、ヘッダ集合管の中間位置において冷媒を流入させた後、上室についてはそのまま冷媒を上昇させ、下室については冷媒を一度下降させた後に扁平管が接続されている空間において上昇させることができている。このため、上室と下室の両方において、扁平管が接続されている空間で重力に逆らうようにして冷媒を上昇させることが可能になる。そして、ヘッダ集合管の内部空間が上室と下室に分けられているために、上室と下室において冷媒を上昇させるための高度をそれぞれ短くすることができ、高さ方向における偏流を抑制することが可能になる。
【００１１】
第２観点に係る熱交換器は、第１観点に係る熱交換器であって、上室は、上方第１空間と上方第２空間を有している。上方第１空間は、上方流入口と連通しており、扁平管が上下に並んで複数接続されている。上方第２空間は、上室の上方に設けられた上室上方連通路および上室の下方に設けられた上室下方連通路を介して上方第１空間と連通しつつ上方仕切部材によって上方第１空間と仕切られている。上室は、上方流入口を介して上方第１空間に流入した後に上室上方連通路を介して上方第２空間に冷媒が到達することがあっても当該冷媒を上室下方連通路を介して上方第１空間に再び導くように構成されている。
【００１２】
この熱交換器では、上方第１空間において勢いよく冷媒が上昇し、比重の大きな冷媒が上室の上方に集まりすぎてしまうことがあっても、上方第２空間を介して再び上方第１空間に戻すことが可能になる。
【００１３】
第３観点に係る熱交換器は、第１観点または第２観点に係る熱交換器であって、下方第１空間と下方第２空間は、さらに、下室の上方に設けられた下室上方連通路を介して連通している。下室は、下方第１空間を上昇した後に下室上方連通路を介して下方第２空間に冷媒が到達することがあっても当該冷媒を下室下方連通路を介して、扁平管が接続されている上方第１空間に再び導くように構成されている。
【００１４】
この熱交換器では、冷媒循環量が多くなりすぎたとしても、上室および下室の両方で冷媒をループさせることで、上室と下室の両方で偏流を抑制させることが可能になる。
【００１５】
第４観点に係る熱交換器は、第１観点から第３観点のいずれかに係る熱交換器であって、扁平管は、中央入口室に対しても接続されている。
【００１６】
この熱交換器では、中央入口室が設けられている位置についても扁平管を設ける構成とすることで、当該位置に扁平管が設けられていない場合と比べて熱交換の容量を増大させることができる。
【００１７】
第５観点に係る熱交換器は、第４観点に係る熱交換器であって、中央入口室には、遮断部材が設けられている。遮断部材は、中央流入口を通過した冷媒流れが、中央入口室に接続されている扁平管に対してそのまま到達することを抑制する。
【００１８】
この熱交換器では、中央流入口を通過した冷媒流れを遮断部材に衝突させることで攪拌し、中央入口室に接続されている扁平管に対して冷媒が集中的に流れてしまうことを抑制して、上方流入口を介して上室に向かう冷媒流れおよび下方流入口を介して下室に向かう冷媒流れを確保しやすくなる。
【００１９】
第６観点に係る空気調和装置は、冷媒回路を備えている。冷媒回路は、第１観点から第５観点のいずれかの熱交換器と、容量可変の圧縮機と、が接続されて構成されている。
【００２０】
この空気調和装置では、容量可変の圧縮機が駆動することで、冷媒回路を流れる冷媒の循環量が変動し、熱交換器を通過する冷媒の量が変動する。ここで、熱交換器が蒸発器として機能する場合に、通過する冷媒の量が増大して液相冷媒の混合比率が増大したり流速が高まることがあっても、熱交換器内における冷媒の偏流を小さく抑えることが可能になる。
【発明の効果】
【００２１】
第１観点に係る熱交換器では、上室と下室の両方において、扁平管が接続されている空間で冷媒を上昇させつつ、上室と下室において冷媒を上昇させるための高度をそれぞれ短くすることができ、高さ方向における偏流を抑制することが可能になる。
【００２２】
第２観点に係る熱交換器では、上方第１空間において比重の大きな冷媒が上室の上方に集まりすぎてしまうことがあっても、再び上方第１空間に戻すことが可能になる。
【００２３】
第３観点に係る熱交換器では、冷媒循環量が多くなりすぎたとしても、上室と下室の両方で偏流を抑制させることが可能になる。
【００２４】
第４観点に係る熱交換器では、熱交換の容量を増大させることができる。
【００２５】
第５観点に係る熱交換器では、中央入口室に接続されている扁平管に対して冷媒が集中的に流れてしまうことを抑制することができる。
【００２６】
第６観点に係る空気調和装置では、熱交換器が蒸発器として機能する場合に、通過する冷媒の量が増大して液相冷媒の混合比率が増大したり流速が高まることがあっても、熱交換器内における冷媒の偏流を小さく抑えることが可能になる。
【図面の簡単な説明】
【００２７】
【図１】一実施形態に係る空気調和装置の構成の概要を説明するための回路図。
【図２】空調室外機の外観を示す斜視図。
【図３】空調室外機の各機器の配置の概要を説明するための模式的な断面図。
【図４】室外熱交換器、ガス冷媒配管および液冷媒配管を示す外観概略斜視図。
【図５】室外熱交換器の概略構成を示す模式的な背面図。
【図６】室外熱交換器の構成を説明するための概略背面図。
【図７】室外熱交換器の熱交換部の構成を説明するための部分拡大断面図。
【図８】室外熱交換器における伝熱フィンの取付状態を示す概略斜視図。
【図９】折返しヘッダ集合管の上方近傍部分の概略構成斜視図。
【図１０】折返しヘッダ集合管の第１内部空間付近の概略断面図。
【図１１】折返しヘッダ集合管の第１内部空間付近の上面視配置説明図。
【図１２】折返しヘッダ集合管の第２内部空間付近の概略断面図。
【図１３】折返しヘッダ集合管の第３内部空間付近の概略断面図。
【図１４】参考例としての低循環量時の冷媒分布状況を示す説明図。
【図１５】参考例としての中間循環量時の冷媒分布状況を示す説明図。
【図１６】参考例としての高循環量時の冷媒分布状況を示す説明図。
【図１７】他の実施形態Ａに係る折返しヘッダ集合管の第１内部空間付近の概略断面図。
【発明を実施するための形態】
【００２８】
（１）空気調和装置１の全体構成
図１は、本発明の一実施形態に係る空気調和装置１の構成の概要を示す回路図である。
【００２９】
空気調和装置１は、蒸気圧縮式の冷凍サイクル運転を行うことによって空調室内機３が設置されている建物内の冷暖房に使用される装置であり、熱源側ユニットとしての空調室外機２と、利用側ユニットとしての空調室内機３とが冷媒連絡配管６，７で接続されて構成されている。
【００３０】
空調室外機２と空調室内機３と冷媒連絡配管６，７とが接続されて構成される冷媒回路は、圧縮機９１、四路切換弁９２、室外熱交換器２０、膨張弁３３、室内熱交換器４およびアキュムレータ９３などが冷媒配管で接続されることで構成されている。この冷媒回路内には冷媒が封入されており、冷媒が圧縮され、冷却され、減圧され、加熱・蒸発された後に、再び圧縮されるという冷凍サイクル運転が行われるようになっている。冷媒としては、例えば、Ｒ４１０Ａ、Ｒ３２、Ｒ４０７Ｃ、Ｒ２２、Ｒ１３４ａ、二酸化炭素、などから選択されたものが用いられる。
【００３１】
（２）空気調和装置１の詳細構成
（２−１）空調室内機３
空調室内機３は、室内の壁面に壁掛け等により、又は、ビル等の室内の天井に埋め込みや吊り下げ等により設置される。空調室内機３は、室内熱交換器４と、室内ファン５とを有している。室内熱交換器４は、例えば伝熱管と多数のフィンとにより構成されたクロスフィン式のフィン・アンド・チューブ型熱交換器であり、冷房運転時には冷媒の蒸発器として機能して室内空気を冷却し、暖房運転時には冷媒の凝縮器として機能して室内空気を加熱する熱交換器である。
【００３２】
（２−２）空調室外機２
空調室外機２は、ビル等の室外に設置されており、冷媒連絡配管６，７を介して空調室内機３に接続される。空調室外機２は、図２および図３に示されているように、略直方体状のユニットケーシング１０を有している。
【００３３】
図３に示されているように、空調室外機２は、ユニットケーシング１０の内部空間を鉛直方向に延びる仕切板１８で二つに分割することによって送風機室Ｓ１と機械室Ｓ２とを形成した構造（いわゆる、トランク型構造）を有するものである。空調室外機２は、ユニットケーシング１０の送風機室Ｓ１内に配置された室外熱交換器２０および室外ファン９５を有しており、ユニットケーシング１０の機械室Ｓ２内に配置された圧縮機９１、四路切換弁９２、アキュムレータ９３、膨張弁３３、ガス冷媒配管３１、および、液冷媒配管３２を有している。
【００３４】
ユニットケーシング１０は、底板１２と、天板１１と、送風機室側の側板１３と、機械室側の側板１４と、送風機室側前板１５と、機械室側前板１６とを備えて、筐体を構成している。
【００３５】
空調室外機２は、ユニットケーシング１０の背面および側面の一部からユニットケーシング１０内の送風機室Ｓ１に室外空気を吸い込んで、吸い込んだ室外空気をユニットケーシング１０の前面から吹き出すように構成されている。具体的には、ユニットケーシング１０内の送風機室Ｓ１に対する吸入口１０ａおよび吸込口１０ｂが、送風機室側の側板１３の背面側の端部と機械室側の側板１４の送風機室Ｓ１側の端部とにわたって形成されている。また、吹出口１０ｃは、送風機室側前板１５に設けられており、その前側がファングリル１５ａによって覆われている。
【００３６】
圧縮機９１は、例えば圧縮機用モータによって駆動される密閉式圧縮機であり、インバータ制御によって運転容量を変化させることができるよう構成されている。
【００３７】
四路切換弁９２は、冷媒の流れの方向を切り換えるための機構である。冷房運転時には、四路切換弁９２は、圧縮機９１の吐出側の冷媒配管と室外熱交換器２０の一端（ガス側端部）から延びるガス冷媒配管３１とを接続するとともに、アキュムレータ９３を介してガス冷媒の冷媒連絡配管７と圧縮機９１の吸入側の冷媒配管とを接続する（図１の四路切換弁９２の実線を参照）。また、暖房運転時には、四路切換弁９２は、圧縮機９１の吐出側の冷媒配管とガス冷媒の冷媒連絡配管７とを接続するとともに、アキュムレータ９３を介して圧縮機９１の吸入側と室外熱交換器２０の一端（ガス側端部）から延びるガス冷媒配管３１とを接続する（図１の四路切換弁９２の破線を参照）。
【００３８】
室外熱交換器２０は、送風機室Ｓ１に上下方向（鉛直方向）に立てて配置され、吸入口１０ａ，１０ｂに対向している。室外熱交換器２０は、アルミニウム製の熱交換器であり、本実施形態では設計圧力が３ＭＰａ〜４ＭＰａ程度のものを用いている。室外熱交換器２０は、一端（ガス側端部）から、四路切換弁９２と接続されるように、ガス冷媒配管３１が延びている。また、室外熱交換器２０の他端（液側端部）から、膨張弁３３に接続されるように、液冷媒配管３２が延びている。
【００３９】
アキュムレータ９３は、四路切換弁９２と圧縮機９１との間に接続されている。アキュムレータ９３は、冷媒を気相と液相とに分ける気液分離機能を具備している。アキュムレータ９３に流入する冷媒は、液相と気相とに分かれ、上部空間に集まる気相の冷媒が圧縮機９１へと供給される。
【００４０】
室外ファン９５は、室外熱交換器２０を流れる冷媒との間で熱交換をさせるための室外空気を、室外熱交換器２０に対して供給する。
【００４１】
膨張弁３３は、冷媒回路において冷媒を減圧するための機構であり、開度調整が可能な電動弁である。膨張弁３３は、冷媒圧力や冷媒流量の調節を行うために、室外熱交換器２０と液冷媒の冷媒連絡配管６の間に設けられ、冷房運転時および暖房運転時のいずれにおいても、冷媒を膨張させる機能を有している。
【００４２】
室外ファン９５は、送風機室Ｓ１に室外熱交換器２０に対向して配置されている。室外ファン９５は、ユニット内に室外空気を吸入して、室外熱交換器２０において冷媒と室外空気との間で熱交換を行わせた後に、熱交換後の空気を室外に排出する。この室外ファン９５は、室外熱交換器２０に供給する空気の風量を可変することが可能なファンであり、例えば、ＤＣファンモータ等からなるモータによって駆動されるプロペラファン等である。
【００４３】
（３）空気調和装置１の動作
（３−１）冷房運転
冷房運転時は、四路切換弁９２が図１の実線で示される状態、すなわち、圧縮機９１の吐出側がガス冷媒配管３１を介して室外熱交換器２０のガス側に接続され、かつ、圧縮機９１の吸入側がアキュムレータ９３、冷媒連絡配管７を介して室内熱交換器４のガス側に対して接続された状態となっている。膨張弁３３は、室内熱交換器４の出口（すなわち、室内熱交換器４のガス側）における冷媒の過熱度が一定になるように開度調節されるようになっている（過熱度制御）。この冷媒回路の状態で、圧縮機９１、室外ファン９５および室内ファン５を運転すると、低圧のガス冷媒は、圧縮機９１で圧縮されることで高圧のガス冷媒となる。この高圧のガス冷媒は、四路切換弁９２を経由して室外熱交換器２０に送られる。その後、高圧のガス冷媒は、室外熱交換器２０において、室外ファン９５によって供給される室外空気と熱交換を行って凝縮して高圧の液冷媒となる。そして、過冷却状態になった高圧の液冷媒は、室外熱交換器２０から膨張弁３３に送られる。膨張弁３３によって圧縮機９１の吸入圧力近くまで減圧されて低圧の気液二相状態となった冷媒は、室内熱交換器４に送られ、室内熱交換器４において室内空気と熱交換を行って蒸発して低圧のガス冷媒となる。
【００４４】
この低圧のガス冷媒は、冷媒連絡配管７を経由して空調室外機２に送られ、再び、圧縮機９１に吸入される。このように冷房運転では、空気調和装置１は、室外熱交換器２０を圧縮機９１において圧縮される冷媒の凝縮器として、かつ、室内熱交換器４を室外熱交換器２０において凝縮された冷媒の蒸発器として機能させる。
【００４５】
なお、冷房運転時の冷媒回路では、膨張弁３３の過熱度制御が行われつつ、設定温度となるように（冷房負荷を処理できるように）圧縮機９１がインバータ制御されているため、冷媒の循環量が高循環量となる場合と、低循環量になる場合がある。
【００４６】
（３−２）暖房運転
暖房運転時は、四路切換弁９２が図１の破線で示される状態、すなわち、圧縮機９１の吐出側が冷媒連絡配管７を介して室内熱交換器４のガス側に接続され、かつ、圧縮機９１の吸入側がガス冷媒配管３１を介して室外熱交換器２０のガス側に接続された状態となっている。膨張弁３３は、室内熱交換器４の出口における冷媒の過冷却度が過冷却度目標値で一定になるように開度調節されるようになっている（過冷却度制御）。この冷媒回路の状態で、圧縮機９１、室外ファン９５および室内ファン５を運転すると、低圧のガス冷媒は、圧縮機９１に吸入されて圧縮されて高圧のガス冷媒となり、四路切換弁９２、および、冷媒連絡配管７を経由して、空調室内機３に送られる。
【００４７】
そして、空調室内機３に送られた高圧のガス冷媒は、室内熱交換器４において、室内空気と熱交換を行って凝縮して高圧の液冷媒となった後、膨張弁３３を通過する際に、膨張弁３３の弁開度に応じて減圧される。この膨張弁３３を通過した冷媒は、室外熱交換器２０に流入する。そして、室外熱交換器２０に流入した低圧の気液二相状態の冷媒は、室外ファン９５によって供給される室外空気と熱交換を行って蒸発して低圧のガス冷媒となり、四路切換弁９２を経由して、再び、圧縮機９１に吸入される。このように暖房運転では、空気調和装置１は、室内熱交換器４を圧縮機９１において圧縮される冷媒の凝縮器として、かつ、室外熱交換器２０を室内熱交換器４において凝縮された冷媒の蒸発器として機能させる。
【００４８】
なお、暖房運転時の冷媒回路では、膨張弁３３の過冷却度制御が行われつつ、設定温度となるように（暖房負荷を処理できるように）圧縮機９１がインバータ制御されているため、冷媒の循環量が高循環量となる場合と、低循環量になる場合がある。
【００４９】
（４）室外熱交換器２０の詳細構成
（４−１）室外熱交換器２０の全体構成
次に、室外熱交換器２０の外観概略斜視図を示す図４、室外熱交換器の模式的な背面図を示す図５、および、概略背面図である図６を用いて室外熱交換器２０の構成について詳細に説明する。
【００５０】
室外熱交換器２０は、室外空気と冷媒との熱交換を行わせる熱交換部２１と、この熱交換部２１の一端側に設けられた出入口ヘッダ集合管２２と、この熱交換部２１の他端側に設けられた折返しヘッダ集合管２３と、を備えている。
【００５１】
（４−２）熱交換部２１
図７は、室外熱交換器２０の熱交換部２１の扁平多穴管２１ｂの扁平方向に対して垂直な平面における断面構造を示す部分拡大図である。また、図８は、室外熱交換器２０における伝熱フィン２１ａの取付状態を示す概略斜視図である。
【００５２】
熱交換部２１は、上側に位置する上側熱交換領域Ｘと、上側熱交換領域Ｘの下方に位置する下側熱交換領域Ｙとを有している。このうち、上側熱交換領域Ｘは、上から順に並んだ、第１上側熱交換部Ｘ１、第２上側熱交換部Ｘ２、第３上側熱交換部Ｘ３を有して構成されている。また、下側熱交換領域Ｙは、上から順に並んだ、第１下側熱交換部Ｙ１、第２下側熱交換部Ｙ２、第３下側熱交換部Ｙ３を有して構成されている。
【００５３】
この熱交換部２１は、多数の伝熱フィン２１ａと多数の扁平多穴管２１ｂとで構成されている。伝熱フィン２１ａおよび扁平多穴管２１ｂは、いずれもアルミニウム製もしくはアルミニウム合金製である。
【００５４】
伝熱フィン２１ａは、平板部材であり、各伝熱フィン２１ａには水平方向に延びる扁平管挿入用の切り欠き２１ａａが上下方向に並べて複数形成されている。なお、伝熱フィン２１ａは、空気流れの上流側に向けて突出した部分を無数に有するように取り付けられている。
【００５５】
扁平多穴管２１ｂは、伝熱管として機能し、伝熱フィン２１ａと室外空気との間を移動する熱を、内部を流れる冷媒に伝達する。この扁平多穴管２１ｂは、伝熱面となる上下の平面部と、冷媒が流れる複数の内部流路２１ｂａを有している。切り欠き２１ａａの上下の幅よりもわずかに厚い扁平多穴管２１ｂは、平面部を上下に向けた状態で、間隔をあけて複数段配列され、切り欠き２１ａａに嵌め込まれた状態で仮固定される。このように、伝熱フィン２１ａの切り欠き２１ａａに扁平多穴管２１ｂが嵌め込まれた仮固定の状態で、伝熱フィン２１ａと扁平多穴管２１ｂとがロウ付けされる。また、各扁平多穴管２１ｂの両端は、それぞれ出入口ヘッダ集合管２２と折返しヘッダ集合管２３に嵌め込まれてロウ付けされる。そのため、後述する出入口ヘッダ集合管２２の上方出入口内部空間２２ａ、下方出入口内部空間２２ｂや後述する折返しヘッダ集合管２３の第１〜第６内部空間２３ａ，２３ｂ，２３ｃ，２３ｄ，２３ｅ，２３ｆと扁平多穴管２１ｂの内部流路２１ｂａとが繋がっている。
【００５６】
図７に示されているように、伝熱フィン２１ａは、上下に繋がっているため、伝熱フィン２１ａや扁平多穴管２１ｂで生じた結露は、伝熱フィン２１ａに沿って下方に滴り落ち、底板１２に形成されている経路を通って外部に排出される。
【００５７】
（４−３）出入口ヘッダ集合管２２
出入口ヘッダ集合管２２は、熱交換部２１の一端側に設けられ、鉛直方向に延びるアルミニウム製もしくはアルミニウム合金製の筒状部材である。
【００５８】
出入口ヘッダ集合管２２は、第１バッフル２２ｃによって上下方向に仕切られた上方出入口内部空間２２ａ，２２ｂを有している。上部の上方出入口内部空間２２ａには、ガス冷媒配管３１が接続され、下部の下方出入口内部空間２２ｂには、液冷媒配管３２が接続されている。
【００５９】
なお、出入口ヘッダ集合管２２の上部の上方出入口内部空間２２ａも下部の下方出入口内部空間２２ｂも、いずれも複数の扁平多穴管２１ｂの一端が接続されている。具体的には、上側熱交換領域Ｘの第１上側熱交換部Ｘ１、第２上側熱交換部Ｘ２、第３上側熱交換部Ｘ３は、出入口ヘッダ集合管２２の上部の上方出入口内部空間２２ａに対応するように設けられている。また、下側熱交換領域Ｙの第１下側熱交換部Ｙ１、第２下側熱交換部Ｙ２、第３下側熱交換部Ｙ３は、出入口ヘッダ集合管２２の下部の下方出入口内部空間２２ｂに対応するように設けられている。
【００６０】
（４−４）折返しヘッダ集合管２３
折返しヘッダ集合管２３は、熱交換部２１の他端側に設けられ、鉛直方向に延びるアルミニウム製もしくはアルミニウム合金製の筒状部材である。
【００６１】
折返しヘッダ集合管２３の内部は、第２バッフル２３ｇ，第３バッフル２３ｈ，第３整流板４３，第４バッフル２３ｉ，第５バッフル２３ｊによって上下方向に仕切られ、第１〜第６内部空間２３ａ，２３ｂ，２３ｃ，２３ｄ，２３ｅ、２３ｆが形成されている。
【００６２】
このうち、折返しヘッダ集合管２３の３つの第１〜第３内部空間２３ａ，２３ｂ，２３ｃには、出入口ヘッダ集合管２２の上部の上方出入口内部空間２２ａに一端が接続されている多数の扁平多穴管２１ｂの他端が接続されている。すなわち、上側熱交換領域Ｘの第１上側熱交換部Ｘ１は折返しヘッダ集合管２３の第１内部空間２３ａに対応するように、上側熱交換領域Ｘの第２上側熱交換部Ｘ２は折返しヘッダ集合管２３の第２内部空間２３ｂに対応するように、上側熱交換領域Ｘの第３上側熱交換部Ｘ３は折返しヘッダ集合管２３の第１内部空間２３ｃに対応するように、それぞれ設けられている。
【００６３】
また、折返しヘッダ集合管２３の３つの第４内部空間２３ｄ，２３ｅ，２３ｆには、出入口ヘッダ集合管２２の下部の下方出入口内部空間２２ｂに一端が接続されている多数の扁平多穴管２１ｂの他端が接続されている。すなわち、下側熱交換領域Ｙの第１下側熱交換部Ｙ１は折返しヘッダ集合管２３の第４内部空間２３ｄに対応するように、下側熱交換領域Ｙの第２下側熱交換部Ｙ２は折返しヘッダ集合管２３の第５内部空間２３ｅに対応するように、下側熱交換領域Ｙの第３下側熱交換部Ｙ３は折返しヘッダ集合管２３の第６内部空間２３ｆに対応するように、それぞれ設けられている。
【００６４】
折返しヘッダ集合管２３の最上段の第１内部空間２３ａと最下段の内部空間２３ｆは、連絡配管２４により接続されている。
【００６５】
上から２段目の第２内部空間２３ｂと、下から２段目の第５内部空間２３ｅは、連絡配管２５により接続されている。
【００６６】
上から３段目の第３内部空間２３ｃと、下から３段目の第４内部空間２３ｄは、第３整流板４３によって仕切られてはいるが、第３整流板４３に設けられた第３流入口４３ｘを介して上下に連通した部分を有している。
【００６７】
また、折返しヘッダ集合管２３の第１内部空間２３ａにおいて連絡配管２４を流れてきた冷媒が分流される扁平多穴管２１ｂの本数は、出入口ヘッダ集合管２２の下部の下方出入口内部空間２２ｂにおいて液冷媒配管３２を流れてきた冷媒が分流され第６内部空間２３ｆに通じる扁平多穴管２１ｂの本数よりも多くなるように構成されている（第２内部空間２３ｂと第５内部空間２３ｅの扁平多穴管２１ｂの本数の関係や、第３内部空間２３ｃと第４内部空間２３ｄの扁平多穴管２１ｂの本数の関係も同様）。
【００６８】
なお、冷媒分布状態を最適化させるために相違を設けていてもよい。
【００６９】
本実施形態では、第１内部空間２３ａに接続された扁平多穴管２１ｂの本数と、第２内部空間２３ｂに接続された扁平多穴管２１ｂの本数が等しくなっている。また、第３内部空間２３ｃに接続された扁平多穴管２１ｂの本数は、第１内部空間２３ａに接続された扁平多穴管２１ｂの本数（第２内部空間２３ｂに接続された扁平多穴管２１ｂの本数）から後述する第１整流空間４１ａに接続されている扁平多穴管２１ｂの本数（本実施形態では１本）を差し引いて得られる本数を半分に割った本数となっている。これにより、第１内部空間２３ａにおける第１上室整流板４１よりも上方の空間と、第１内部空間２３ａにおける第１下室整流板６１よりも下方の空間と、第２内部空間２３ｂにおける第２上室整流板４２よりも上方の空間と、第２内部空間２３ｂにおける第２下室整流板６２よりも下方の空間と、第３内部空間２３ｃと、にそれぞれ接続されている扁平多穴管２１ｂの本数が等しくなっている。これにより、後述する冷媒の上昇高さを等しくすることができている。
【００７０】
また、同様に、冷媒分布状態を最適化させるために相違を設けていてもよいが、本実施形態では、第４内部空間２３ｄに接続された扁平多穴管２１ｂの本数と、第５内部空間２３ｅに接続された扁平多穴管２１ｂの本数と、第６内部空間２３ｆに接続された扁平多穴管２１ｂの本数は、ほぼ同数となっている。
【００７１】
（４−５）折返しヘッダ集合管２３のループ構造等
折返しヘッダ集合管２３のうち、上方の３つの第１〜第３内部空間２３ａ，２３ｂ，２３ｃには、ループ構造、および、整流構造が設けられている。
【００７２】
以下、第１〜第３内部空間２３ａ、２３ｂ、２３ｃそれぞれについて、ループ構造および整流構造について説明する。
【００７３】
（４−５−１）第１内部空間２３ａ
折返しヘッダ集合管２３の最も上方の第１内部空間２３ａには、図６と、図９の概略斜視図と、図１０の概略断面図と、図１１の上面視配置説明図と、にそれぞれ示すように、第１上室整流板４１、第１上室仕切板５１、第１下室整流板６１、および、第１下室仕切板７１が設けられている。
【００７４】
第１上室整流板４１と第１下室整流板６１とは、折返しヘッダ集合管２３の最も下方の第６内部空間２３ｆから延び出した連絡配管２４が接続されている空間を上下から挟むようにして設けられている。第１整流空間４１ａは、折返しヘッダ集合管２３の第１内部空間２３ａを第１上室整流板４１と第１下室整流板６１とによって上下から挟まれることで構成されている。本実施形態では、この第１整流空間４１ａに対しても扁平多穴管２１ｂが接続されている。
【００７５】
なお、連絡配管２４の端部に設けられている第１中央流入口２４ａを通過して第１整流空間４１ａに流入した冷媒は、後述するように、第１上室整流板４１に設けられている第１上室流入口４１ｘを通過して上方に流れる冷媒流れと、第１下室整流板６１に設けられている第１下室流入口６１ｘを通過して下方に流れる冷媒流れと、に分流される。
【００７６】
第１上室整流板４１は、第１内部空間２３ａを、下方の第１整流空間４１ａと、上方の第１上室流出空間５１ａおよび第１上室ループ空間５１ｂと、に仕切っている、略円盤状の板状部材である。
【００７７】
第１上室仕切板５１は、第１内部空間２３ａのうち第１整流空間４１ａよりも上方の空間を、第１上室流出空間５１ａと、第１上室ループ空間５１ｂと、に仕切っている、略方形の板状部材である。特に限定されるものではないが、本実施形態における第１上室仕切板５１は、第１内部空間２３ａの中心に設けられることで、第１整流空間４１ａよりも上方の空間を、第１上室流出空間５１ａと第１上室ループ空間５１ｂとが上面視において同等広さになるように仕切っている。第１上室仕切板５１は、その側面が、折返しヘッダ集合管２３の内周面に接するようにして固定されている。第１上室流出空間５１ａは、第１内部空間２３ａのうち扁平多穴管２１ｂの一端が接続されている側の空間である。第１上室ループ空間５１ｂは、第１内部空間２３ａのうち、第１上室仕切板５１に対して第１上室流出空間５１ａ側とは反対側の空間である。
【００７８】
第１内部空間２３ａの上方には、折返しヘッダ集合管２３の上端の内側と、第１上室仕切板５１の上端部分と、の間の上下方向の隙間によって構成される第１上室上連通路５１ｘが設けられている。
【００７９】
第１内部空間２３ａの下方には、第１上室整流板４１の上面と、第１上室仕切板５１の下端部分と、の間の上下方向の隙間によって構成される第１上室下連通路５１ｙが設けられている。本実施形態においては、第１上室下連通路５１ｙは、第１上室ループ空間５１ｂ側から第１上室流出空間５１ａ側に向けて水平方向に延びている。また、この第１上室下連通路５１ｙの第１上室流出空間５１ａ側の出口は、第１上室流出空間５１ａに接続されている扁平多穴管２１ｂのうち最も下に位置するものよりもさらに下方に位置している。
【００８０】
第１上室整流板４１には、図９に示すように、第１内部空間２３ａのうちの扁平多穴管２１ｂが延び出している側の空間である第１上室流出空間５１ａに設けられた、鉛直方向に連通した開口である第１上室流入口４１ｘが２つ設けられている。２つの第１上室流入口４１ｘは、室外熱交換器２０に対して空気が流入する向きである空気流れ方向の上流側と下流側に離れて設けられている。第１上室流入口４１ｘは、第１上室仕切板５１側に近いほど空気流れ方向の幅が広く、扁平多穴管２１ｂ側に近いほど空気流れ方向の幅が狭くなるように形成されている。また、第１上室流入口４１ｘは、折返しヘッダ集合管２３の内周面に沿った形状を有している。
【００８１】
第１内部空間２３ａは、第１上室流入口４１ｘにおける冷媒通過面積（水平面の面積）を、第１整流空間４１ａの冷媒通過面積（第１整流空間４１ａの水平面の面積）に比べて十分に小さくした整流構造を有している。この整流構造によって、第１整流空間４１ａから第１上室流出空間５１ａ側に向かう冷媒流れを十分に絞り込むことができ、鉛直上方に向かう冷媒流速を増大させることができている。
【００８２】
また、第１内部空間２３ａのうち第１上室整流板４１の上方の空間は、第１上室仕切板５１によって仕切られることで、第１上室流出空間５１ａ側における冷媒通過面積（第１上室流出空間５１ａ内を上昇する冷媒流れの通過面積）を、第１上室流出空間５１ａと第１上室ループ空間５１ｂの合計の水平面積よりも狭くすることができている。これにより、第１上室流入口４１ｘを介して第１上室流出空間５１ａに流入した冷媒の上昇速度を維持させやすくすることができ、低循環量下においても冷媒を第１上室流出空間５１ａの上方部分にまで到達させやすくしている。
【００８３】
なお、図１１の上面視配置説明図に示すように、扁平多穴管２１ｂは、第１上室流出空間５１ａの扁平多穴管２１ｂが存在しない高さ位置での水平面積の半分以上を埋めるように、第１上室流出空間５１ａ内に埋め込まれている。そして、扁平多穴管２１ｂと、第１上室整流板４１の第１上室流入口４１ｘとは、上面視において一部が重なる位置に配置されている。
【００８４】
ただし、「第１上室流出空間５１ａの扁平多穴管２１ｂが存在しない高さ位置での水平面積」から「扁平多穴管２１ｂのうち第１上室流出空間５１ａ内に延び出している部分の水平面積」を差し引いた残りの面積（第１上室流出空間５１ａにおいて冷媒が扁平多穴管２１ｂを避けて上昇する部分の面積）が、第１上室下連通路５１ｙの冷媒通過面積よりも大きくなるように配置されている。これにより、第１上室流入口４１ｘを介して第１上室流出空間５１ａに流入した冷媒を、より狭く通過しづらい第１上室下連通路５１ｙを第１上室ループ空間５１ｂ側に向けて通過させるのではなく、より広く通過しやすい第１上室流出空間５１ａにおける扁平多穴管２１ｂを除いた部分を上昇するように導くことが可能になる。
【００８５】
また、第１内部空間２３ａは、第１上室流入口４１ｘと、第１上室仕切板５１と、第１上室上連通路５１ｘと、第１上室下連通路５１ｙと、を含んだループ構造を有している。このため、第１上室流出空間５１ａにおいて扁平多穴管２１ｂに流入することなく上方まで到達した冷媒は、図１０の矢印に示すように、第１上室仕切板５１の上方の第１上室上連通路５１ｘを介して第１上室ループ空間５１ｂに導かれ、第１上室ループ空間５１ｂにおいて重力に従って降下し、第１上室仕切板５１の下方の第１上室下連通路５１ｙを介して第１上室流出空間５１ａの下方に戻される。このようにして、第１上室流出空間５１ａの上方に到達した冷媒を、第１内部空間２３ａ内においてループさせることが可能になっている。
【００８６】
第１下室整流板６１は、第１内部空間２３ａを、上方の第１整流空間４１ａと、下方の第１下室流出空間７１ａおよび第１下室ループ空間７１ｂと、に仕切っている、略円盤状の板状部材である。
【００８７】
第１下室仕切板７１は、第１内部空間２３ａのうち第１整流空間４１ａよりも下方の空間を、第１下室流出空間７１ａと、第１下室ループ空間７１ｂと、に仕切っている、略方形の板状部材である。特に限定されるものではないが、本実施形態における第１下室仕切板７１は、第１内部空間２３ａの中心に設けられることで、第１整流空間４１ａよりも下方の空間を、第１下室流出空間７１ａと第１下室ループ空間７１ｂとが上面視において同等広さになるように仕切っている。第１下室仕切板７１は、その側面が、折返しヘッダ集合管２３の内周面に接するようにして固定されている。第１下室流出空間７１ａは、第１内部空間２３ａのうち扁平多穴管２１ｂの一端が接続されている側の空間である。第１下室ループ空間７１ｂは、第１内部空間２３ａのうち、第１下室仕切板７１に対して第１下室流出空間７１ａ側とは反対側の空間である。
【００８８】
第１下室流出空間７１ａおよび第１下室ループ空間７１ｂの上方には、第１下室整流板６１の下面と、第１下室仕切板７１の上端部分と、の間の上下方向の隙間によって構成される第１下室上連通路７１ｘが設けられている。
【００８９】
第１下室流出空間７１ａおよび第１下室ループ空間７１ｂの下方には、第２バッフル２３ｇの上面と、第１下室仕切板７１の下端部分と、の間の上下方向の隙間によって構成される第１下室下連通路７１ｙが設けられている。本実施形態においては、第１下室下連通路７１ｙは、第１下室ループ空間７１ｂ側から第１下室流出空間７１ａ側に向けて水平方向に延びている。また、この第１下室下連通路７１ｙの第１下室流出空間７１ａ側の出口は、第１下室流出空間７１ａに接続されている扁平多穴管２１ｂのうち最も下に位置するものよりもさらに下方に位置している。
【００９０】
第１下室整流板６１には、図９に示すように、第１上室整流板４１とは反対に、第１内部空間２３ａのうちの扁平多穴管２１ｂが延び出している側の空間とは反対側の空間である第１下室ループ空間７１ｂに設けられた、鉛直方向に連通した開口である第１下室流入口６１ｘが２つ設けられている。２つの第１下室流入口６１ｘは、室外熱交換器２０に対して空気が流入する向きである空気流れ方向の上流側と下流側に離れて設けられている。第１下室流入口６１ｘは、第１下室仕切板７１側に近いほど空気流れ方向の幅が広く、扁平多穴管２１ｂ側に近いほど空気流れ方向の幅が狭くなるように形成されている。また、第１下室流入口６１ｘは、折返しヘッダ集合管２３の内周面に沿った形状を有している。
【００９１】
第１内部空間２３ａは、第１下室流入口６１ｘにおける冷媒通過面積（水平面の面積）を、第１整流空間４１ａの冷媒通過面積（第１整流空間４１ａの水平面の面積）に比べて十分に小さくした整流構造を有している。この整流構造によって、第１整流空間４１ａから第１下室ループ空間７１ｂ側に向けて冷媒を勢いよく取り込むことができている。
【００９２】
また、第１内部空間２３ａのうち第１下室整流板６１の下方の空間は、第１下室仕切板７１によって仕切られることで、第１下室流出空間７１ａ側における冷媒通過面積（第１下室流出空間７１ａ内を上昇する冷媒流れの通過面積）を、第１下室流出空間７１ａと第１下室ループ空間７１ｂの合計の水平面積よりも狭くすることができている。これにより、第１下室流入口６１ｘを介して第１下室ループ空間７１ｂに流入して、第１下室下連通路７１ｙを介して第１下室流出空間７１ａに送られた冷媒の上昇速度を維持させやすくすることができ、低循環量下においても冷媒を第１下室流出空間７１ａの上方部分にまで到達させやすくしている。
【００９３】
なお、図１１の上面視配置説明図に示すように、扁平多穴管２１ｂは、第１下室流出空間７１ａの扁平多穴管２１ｂが存在しない高さ位置での水平面積の半分以上を埋めるように、第１下室流出空間７１ａ内に埋め込まれている。そして、扁平多穴管２１ｂと、第１下室整流板６１の第１下室流入口６１ｘとは、上面視において一部が重なる位置に配置されている。
【００９４】
また、第１内部空間２３ａは、第１下室流入口６１ｘと、第１下室仕切板７１と、第１下室上連通路７１ｘと、第１下室下連通路７１ｙと、を含んだループ構造を有している。このため、第１下室流出空間７１ａにおいて自重によって降下した冷媒は、図１０の矢印に示すように、第１下室仕切板７１の下方の第１下室下連通路７１ｙを介して第１下室流出空間７１ａに導かれ、第１下室流出空間７１ａにおいて重力に逆らって上昇し、第１下室流出空間７１ａに接続されている扁平多穴管２１ｂに流れていく。また、第１下室流出空間７１ａにおいて上昇することで第１下室整流板６１近傍に達した冷媒は、第１下室上連通路７１ｘを通過した後に第１下室ループ空間７１ｂを降下し、第１下室下連通路７１ｙを介して再び第１下室流出空間７１ａに送られる。このようにして、第１下室流出空間７１ａの冷媒を、第１内部空間２３ａ内においてループさせることが可能になっている。
【００９５】
（４−５−２）第２内部空間２３ｂ
折返しヘッダ集合管２３の上から２つ目の第２内部空間２３ｂには、最も上方の第１内部空間２３ａと同様の構成であり、図６と、図１２の概略断面図と、にそれぞれ示すように、第２上室整流板４２および第２上室仕切板５２が設けられている。
【００９６】
第２上室整流板４２と第２下室整流板６２とは、折返しヘッダ集合管２３の第５内部空間２３ｅから延び出した連絡配管２５が接続されている空間を上下から挟むようにして設けられている。第２整流空間４２ａは、折返しヘッダ集合管２３の第２内部空間２３ｂを第２上室整流板４２と第２下室整流板６２とによって上下から挟まれることで構成されている。本実施形態では、この第２整流空間４２ａに対しても扁平多穴管２１ｂが接続されている。
【００９７】
なお、連絡配管２５の端部に設けられている第２中央流入口２５ａを通過して第２整流空間４２ａに流入した冷媒は、後述するように、第２上室整流板４２に設けられている第２上室流入口４２ｘを通過して上方に流れる冷媒流れと、第２下室整流板６２に設けられている第２下室流入口６２ｘを通過して下方に流れる冷媒流れと、に分流される。
【００９８】
第２上室整流板４２は、第２内部空間２３ｂを、下方の第２整流空間４２ａと、上方の第２上室流出空間５２ａおよび第２上室ループ空間５２ｂと、に仕切っている、略円盤状の板状部材である。
【００９９】
第２上室仕切板５２は、第２内部空間２３ｂのうち第２整流空間４２ａよりも上方の空間を、第２上室流出空間５２ａと、第２上室ループ空間５２ｂと、に仕切っている、略方形の板状部材である。第２上室流出空間５２ａは、第２内部空間２３ｂのうち扁平多穴管２１ｂの一端が接続されている側の空間である。第２上室ループ空間５２ｂは、第２内部空間２３ｂのうち、第２上室仕切板５２に対して第２上室流出空間５２ａ側とは反対側の空間である。
【０１００】
第２上室流出空間５２ａおよび第２上室ループ空間５２ｂの上方には、第２バッフル２３ｇの下面と、第２上室仕切板５２の上端部分と、の間の上下方向の隙間によって構成される第２上室上連通路５２ｘが設けられている。
【０１０１】
第２上室流出空間５２ａおよび第２上室ループ空間５２ｂの下方には、第２上室整流板４２の上面と、第２上室仕切板５２の下端部分と、の間の上下方向の隙間によって構成される第２上室下連通路５２ｙが設けられている。本実施形態においては、第２上室下連通路５２ｙは、第２上室ループ空間５２ｂ側から第２上室流出空間５２ａ側に向けて水平方向に延びている。この第２上室下連通路５２ｙの第２上室流出空間５２ａ側の出口は、第２上室流出空間５２ａに接続されている扁平多穴管２１ｂのうち最も下に位置するものよりもさらに下方に位置している。
【０１０２】
第２上室整流板４２には、第１上室整流板４１と同様に、第２内部空間２３ｂのうちの扁平多穴管２１ｂが延び出している側に設けられた、鉛直方向に連通した開口である第２上室流入口４２ｘが２つ設けられている。
【０１０３】
また、第２内部空間２３ｂについても、第１内部空間２３ａと同様に、第２上室流入口４２ｘにおける冷媒通過面積（水平面の面積）を、第２整流空間４２ａの冷媒通過面積（第２整流空間４２ａの水平面の面積）に比べて十分に小さくした整流構造を有している。
【０１０４】
さらに、第２内部空間２３ｂは、第１内部空間２３ａと同様に、第２上室流入口４２ｘと、第２上室仕切板５２と、第２上室上連通路５２ｘと、第２上室下連通路５２ｙと、を含んだループ構造を有している。
【０１０５】
第２下室整流板６２は、第１下室整流板６１と同様に、第２内部空間２３ｂを、上方の第２整流空間４２ａと、下方の第２下室流出空間７２ａおよび第２下室ループ空間７２ｂと、に仕切っている、略円盤状の板状部材である。
【０１０６】
また、第１内部空間２３ａの説明と同様であり、第２下室仕切板７２は、第２内部空間２３ｂのうち第２整流空間４２ａよりも下方の空間を、第２下室流出空間７２ａと、第２下室ループ空間７２ｂと、に仕切っており、第２下室上連通路７２ｘが第２下室整流板６２の下面と第２下室仕切板７２の上端部分の間の上下方向の隙間によって構成され、第２下室下連通路７２ｙが第３バッフル２３ｈの上面と第２下室仕切板７２の下端部分の間の上下方向の隙間によって構成されている。
【０１０７】
第２下室整流板６２には、第２上室整流板４２とは反対に、第２内部空間２３ｂのうちの扁平多穴管２１ｂが延び出している側の空間とは反対側の空間である第２下室ループ空間７２ｂに設けられた、鉛直方向に連通した開口である第２下室流入口６２ｘが２つ設けられている。
【０１０８】
他の配置構成の詳細は、第１内部空間２３ａと同様であるため、省略する。
【０１０９】
（４−５−３）第３内部空間２３ｃ
折返しヘッダ集合管２３の上から３つ目の第３内部空間２３ｃには、図６と、図１３の概略断面図と、にそれぞれ示すように、第３整流板４３および第３仕切板５３が設けられている。
【０１１０】
第３整流板４３は、第３内部空間２３ｃを、折返しヘッダ集合管２３の下から３つ目の第４内部空間２３ｄ（下方に位置している空間）と、上方に位置している第３流出空間５３ａおよび第３ループ空間５３ｂと、に仕切っている、略円盤状の板状部材である。
【０１１１】
第３仕切板５３は、第３内部空間２３ｃのうち第４内部空間２３ｄよりも上方の空間を、第３流出空間５３ａと、第３ループ空間５３ｂと、に仕切っている、略方形の板状部材である。第３流出空間５３ａは、第３内部空間２３ｃのうち扁平多穴管２１ｂの一端が接続されている側の空間である。第３ループ空間５３ｂは、第３内部空間２３ｃのうち、第３仕切板５３に対して第３流出空間５３ａ側とは反対側の空間である。
【０１１２】
第３内部空間２３ｃの上方には、第３バッフル２３ｈの下面と、第３仕切板５３の上端部分と、の間の上下方向の隙間によって構成される第３上連通路５３ｘが設けられている。
【０１１３】
第３内部空間２３ｃの下方には、第３整流板４３の上面と、第３仕切板５３の下端部分と、の間の上下方向の隙間によって構成される第３下連通路５３ｙが設けられている。本実施形態においては、第３下連通路５３ｙは、第３ループ空間５３ｂ側から第３流出空間５３ａ側に向けて水平方向に延びている。この第３下連通路５３ｙの第３流出空間５３ａ側の出口は、第３流出空間５３ａに接続されている扁平多穴管２１ｂのうち最も下に位置するものよりもさらに下方に位置している。
【０１１４】
第３整流板４３には、第１上室整流板４１や第２上室整流板４２と同様に、第３内部空間２３ｃのうちの扁平多穴管２１ｂが延び出している側に設けられた、鉛直方向に連通した開口である第３流入口４３ｘが２つ設けられている。
【０１１５】
また、第３内部空間２３ｃについても、第１内部空間２３ａ、第２内部空間２３ｂと同様に、第３流入口４３ｘにおける冷媒通過面積（水平面の面積）を、第４内部空間２３ｄの冷媒通過面積（第４内部空間２３ｄの水平面の面積）に比べて十分に小さくした整流構造を有している。
【０１１６】
さらに、第３内部空間２３ｃは、第１内部空間２３ａ、第２内部空間２３ｂと同様に、第３流入口４３ｘと、第３仕切板５３と、第３上連通路５３ｘと、第３下連通路５３ｙと、を含んだループ構造を有している。
【０１１７】
他の配置構成の詳細は、第１内部空間２３ａや第２内部空間２３ｂと同様であるため、省略する。
【０１１８】
（５）室外熱交換器２０における暖房運転時の冷媒の流れ方の概略
以下、上述のように構成された室外熱交換器２０における冷媒の流れ方を、主として、暖房運転時について説明する。
【０１１９】
暖房運転時には、図５の矢印で示すように、液冷媒配管３２を介して出入口ヘッダ集合管２２の下部の下方出入口内部空間２２ｂに、気液二相状態の冷媒が供給される。なお、この下方出入口内部空間２２ｂに流入する冷媒の状態は、本実施形態の説明では気液二相状態の冷媒を想定しているが、外気温度や室内温度や運転状態によっては、実質的に液単相状態の冷媒が流入することがあってもよい。
【０１２０】
出入口ヘッダ集合管２２の下部の下方出入口内部空間２２ｂに供給された冷媒は、下方出入口内部空間２２ｂに接続された熱交換部２１の下部の複数の扁平多穴管２１ｂを通過して、折返しヘッダ集合管２３の下部の３つの第４内部空間２３ｄ，２３ｅ，２３ｆにそれぞれ供給される。なお、折返しヘッダ集合管２３の下部の３つの第４〜第６内部空間２３ｄ，２３ｅ，２３ｆに供給される冷媒は、熱交換部２１の下部の扁平多穴管２１ｂを通過する際に、気液二相状態の冷媒のうちの液相成分の一部が蒸発することで、気相成分が増大した状態になっている。
【０１２１】
折返しヘッダ集合管２３の下部の第６内部空間２３ｆに供給された冷媒は、連絡配管２４を通過して、折返しヘッダ集合管２３の上部の第１内部空間２３ａに供給される。第１内部空間２３ａに供給された冷媒は、第１内部空間２３ａに接続されている複数の扁平多穴管２１ｂそれぞれに流入していく（なお、第１内部空間２３ａ内での冷媒の流れ方は後述する。）。複数の扁平多穴管２１ｂを流れた冷媒は、さらに蒸発することで気相状態になって出入口ヘッダ集合管２２の上方の上方出入口内部空間２２ａに供給される。
【０１２２】
折返しヘッダ集合管２３の下部の第５内部空間２３ｅに供給された冷媒は、連絡配管２５を通過して、折返しヘッダ集合管２３の上部の第２内部空間２３ｂに供給される。第２内部空間２３ｂに供給された冷媒は、第２内部空間２３ｂに接続されている複数の扁平多穴管２１ｂそれぞれに流入していく（なお、第２内部空間２３ｂ内での冷媒の流れ方は後述する。）。複数の扁平多穴管２１ｂを流れた冷媒は、さらに蒸発することで気相状態になって出入口ヘッダ集合管２２の上方の上方出入口内部空間２２ａに供給される。
【０１２３】
折返しヘッダ集合管２３の下部の第４内部空間２３ｄに供給された冷媒は、第３整流板４３に設けられた第３流入口４３ｘを鉛直上方に向けて通過し、折返しヘッダ集合管２３の上部の第３内部空間２３ｃの内部空間に供給される。第３内部空間２３ｃに供給された冷媒は、第３内部空間２３ｃに接続されている複数の扁平多穴管２１ｂそれぞれに流入していく（なお、第３内部空間２３ｃ内での冷媒の流れ方は後述する。）。複数の扁平多穴管２１ｂを流れた冷媒は、さらに蒸発することで気相状態になって出入口ヘッダ集合管２２の上方の上方出入口内部空間２２ａに供給される。
【０１２４】
折返しヘッダ集合管２３の上部の第１〜第３内部空間２３ａ，２３ｂ，２３ｃから複数の扁平多穴管２１ｂを流れて出入口ヘッダ集合管２２の上方の上方出入口内部空間２２ａに供給された冷媒は、上方出入口内部空間２２ａにおいて合流し、ガス冷媒配管３１から流出していく。
【０１２５】
なお、冷房運転時には、図５の矢印で示す流れとは、冷媒流れが逆方向になる。
【０１２６】
（６）暖房運転時の低循環量の場合の室外熱交換器２０における冷媒の流れ方
暖房運転時の低循環量の場合の室外熱交換器２０における冷媒の流れ方を、以下、折返しヘッダ集合管２３の第１内部空間２３ａを例に挙げて説明する。
【０１２７】
出入口ヘッダ集合管２２の下方出入口内部空間２２ｂに流入する冷媒は、膨張弁３３において減圧されることで、気液二相状態になっている。そして、折返しヘッダ集合管２３の第１内部空間２３ａに流入した気液二相状態の冷媒のうちの液相成分の一部は、出入口ヘッダ集合管２２の下方出入口内部空間２２ｂから折返しヘッダ集合管２３の第６内部空間２３ｆに向けて扁平多穴管２１ｂを通過する際に蒸発する。このため、連絡配管２４を通過して折返しヘッダ集合管２３の第１内部空間２３ａに流入する冷媒は、比重の異なる気相成分と液相成分が混在した状態になっている。
【０１２８】
なお、ここで、折返しヘッダ集合管２３の第１内部空間２３ａに流入した冷媒は、一部が第１内部空間２３ａに接続されている扁平多穴管２１ｂに流れ、一部が第１上室整流板４１に設けられている第１上室流入口４１ｘを通過して上方に向けて流れ、一部が第１下室整流板６１に設けられている第１下室流入口６１ｘを通過して下方に向けて流れる。
【０１２９】
ここで、第１上室流入口４１ｘを介して上方に流れる冷媒については、以下の通りである。すなわち、低循環量の場合には、連絡配管２４を通過して第１整流空間４１ａ内に流入する単位時間当たりの冷媒量が少なく、連絡配管２４の第１中央流入口２４ａを流れる冷媒の流速は相対的に遅めになる。このため、冷媒のうち比重の大きな液相成分については、上昇させにくいため、第１上室流出空間５１ａに接続されている複数の扁平多穴管２１ｂのうち上方に位置しているものに対して到達させにくく、複数の扁平多穴管２１ｂにおいて高さ位置に応じて通過量が不均一になり、偏流が生じてしまうおそれがある。ここで、図１４の低循環量時の参考例の説明図に示すように、比較的上方に配置された扁平多穴管２１ｂの一端側に対して、冷媒のうち比重の小さい気相成分が主に流入すると、扁平多穴管２１ｂの他端側から流出する冷媒は過熱度が大きくなりすぎて、扁平多穴管２１ｂを通過している途中で相変化を生じなくなり、熱交換の能力を十分に発揮させることができないことになる。他方で、比較的下方に配置された扁平多穴管２１ｂの一端側に対して、冷媒のうち比重の大きな液相成分が主に流入すると、扁平多穴管２１ｂの他端側から流出する冷媒は過熱度が付きにくく、蒸発することなく扁平多穴管２１ｂの他端側に到達してしまうことがあり、やはり、熱交換の能力を十分に発揮させることができないことになる。
【０１３０】
これに対して、本実施形態の室外熱交換器２０では、第１整流空間４１ａに供給された冷媒は、第１上室整流板４１の絞り機能を有する第１上室流入口４１ｘを通過する際に、鉛直上方に向かう冷媒流れの流速が高められている。しかも、第１内部空間２３ａの第１上室整流板４１の上方の空間は、第１上室仕切板５１が設けられることで、第１上室流入口４１ｘが設けられている側の空間（第１上室流出空間５１ａ）の冷媒通過面積は第１上室仕切板５１が無い場合と比較して狭くなるように構成されているため、上昇速度は衰えにくい。このため、低循環量の場合でも、冷媒のうち比重の大きな液相成分についても、第１上室流出空間５１ａ内の上方にまで導きやすくすることができている。
【０１３１】
なお、第１上室流入口４１ｘを介して第１上室流出空間５１ａ内に流入した冷媒は、第１上室流出空間５１ａ内を上昇していきながら、各扁平多穴管２１ｂに分流していくが、一部のわずかな冷媒は、扁平多穴管２１ｂに流入することなく、第１上室流出空間５１ａの上端にまで導かれる。
【０１３２】
このようにして第１上室流出空間５１ａの上端にまで到達した冷媒は、第１上室上連通路５１ｘを介して第１上室ループ空間５１ｂに導かれ、第１上室ループ空間５１ｂにおいて重力によって降下する。第１上室ループ空間５１ｂを降下した冷媒は、水平方向に延びた第１上室下連通路５１ｙを通過しながら水平方向に流れ、再び、第１上室流出空間５１ａの下方に戻される。
【０１３３】
第１上室下連通路５１ｙを介して第１上室流出空間５１ａに戻された冷媒は、第１上室流入口４１ｘを通過した冷媒の上昇流れに引きずられるようにして、再度、第１上室流出空間５１ａ内を上昇していき、場合によっては第１内部空間２３ａ内を再度循環した後、扁平多穴管２１ｂに流入させることができる。
【０１３４】
これにより、本実施形態の室外熱交換器２０のうち第１上室流入口４１ｘを介して上方に流れる冷媒については、低循環量時であっても、第１上室流出空間５１ａの高さ位置の異なる部分に配置された複数の扁平多穴管２１ｂに流入する冷媒の状態を、図１５の中間循環量時の参考例の説明図に示すような状態に近づけて、できるだけ均一化させることが可能になる。
【０１３５】
なお、第１下室流入口６１ｘを介して下方に流れる冷媒については、以下の通りである。すなわち、第１下室整流板６１の第１下室流入口６１ｘを通過して第１下室ループ空間７１ｂを降下した冷媒は、第１下室下連通路７１ｙを通過して第１下室流出空間７１ａを上昇するように流れる。そして、第１下室流出空間７１ａを上昇するように流れる冷媒は、各扁平多穴管２１ｂに分流されていく。第１内部空間２３ａの第１下室整流板６１の下方の空間は、第１下室仕切板７１が設けられることで、第１下室流出空間７１ａの冷媒通過面積は第１下室仕切板７１が無い場合と比較して狭くなるように構成されているため、冷媒が上昇しやすい。このため、低循環量の場合でも、冷媒のうち比重の大きな液相成分についても、第１下室流出空間７１ａ内の上方にまで導きやすくすることができている。なお、第１下室流出空間７１ａの上端に到達したわずかな冷媒は、第１下室上連通路７１ｘを介して第１下室ループ空間７１ｂに送られ、第１下室下連通路７１ｙを介して再び第１下室流出空間７１ａに戻される。このようにして、第１下室流入口６１ｘを介して下方に流れる冷媒も、第１下室流出空間７１ａを上昇していきながら、各扁平多穴管２１ｂに分流されていく。
【０１３６】
なお、折返しヘッダ集合管２３の第２内部空間２３ｂについては、第１内部空間２３ａと同様である。また、第３内部空間２３ｃについては、説明を省略する。
【０１３７】
（７）暖房運転時の高循環量の場合の室外熱交換器２０における冷媒の流れ方
暖房運転時の高循環量の場合の室外熱交換器２０における冷媒の流れ方を、以下、折返しヘッダ集合管２３の第１内部空間２３ａを例に挙げて説明する。
【０１３８】
ここで、折返しヘッダ集合管２３の第１内部空間２３ａに流入する冷媒が、比重の異なる気相成分と液相成分が混在した状態になっていることは、低循環量の場合と同様である。
【０１３９】
また、折返しヘッダ集合管２３の第１内部空間２３ａに流入した冷媒は、一部が第１内部空間２３ａに接続されている扁平多穴管２１ｂに流れ、一部が第１上室整流板４１に設けられている第１上室流入口４１ｘを通過して上方に向けて流れ、一部が第１下室整流板６１に設けられている第１下室流入口６１ｘを通過して下方に向けて流れる点は、低循環量の場合と同様である。
【０１４０】
ここで、第１上室流入口４１ｘを介して上方に流れる冷媒については、以下の通りである。すなわち、高循環量の場合には、連絡配管２４を通過して第１整流空間４１ａ内に流入する単位時間当たりの冷媒量が多く、連絡配管２４の第１中央流入口２４ａを流れる冷媒の流速は相対的に早めになる。しかも、上述した低循環量対策として第１上室流入口４１ｘの絞り機能を採用していることにより、さらに流速が高められる。さらに、上述した低循環量対策として冷媒通過断面積を第１上室仕切板５１によって狭めた第１上室流出空間５１ａの狭い冷媒通過面積によって、冷媒の上昇速度は衰えにくくなっている。このため、高循環量の場合には、第１上室流入口４１ｘを勢いよく通過した冷媒のうち比重の大きな液相成分は、第１上室流出空間５１ａ内において扁平多穴管２１ｂに流入することなく通過しがちになり、上方に集まりがちになってしまう。この場合には、比重の大きな液相成分が上方に集まりやすく、比重の小さな気相成分が下方に集まりやすくなり、低循環量の場合とは分布が異なるが、図１６の高循環量時の参考例の説明図に示すように、やはり偏流が生じてしまう。
【０１４１】
これに対して、本実施形態の室外熱交換器２０では、第１内部空間２３ａにはループ構造が採用されているため、第１上室流出空間５１ａの上端にまで到達した冷媒を、第１上室上連通路５１ｘを介して第１上室ループ空間５１ｂに導き、第１上室ループ空間５１ｂにおいて降下させた後、第１上室下連通路５１ｙを介して、再び、第１上室流出空間５１ａの下方に戻すことで、第１上室流出空間５１ａの下方に位置している扁平多穴管２１ｂに導くことができる。
【０１４２】
第１上室下連通路５１ｙを介して第１上室流出空間５１ａに戻された冷媒は、第１上室流入口４１ｘを通過した冷媒の上昇流れに引きずられるようにして、再度、第１上室流出空間５１ａ内を上昇していき、場合によっては第１内部空間２３ａ内を再度循環した後、扁平多穴管２１ｂに流入させることができる。
【０１４３】
これにより、本実施形態の室外熱交換器２０では、高循環量時であっても、高さ位置の異なる部分に配置された複数の扁平多穴管２１ｂに流入する冷媒の状態を、図１５の中間循環量時の参考例の説明図に示すような状態に近づけて、できるだけ均一化させることが可能になる。
【０１４４】
なお、第１下室流入口６１ｘを介して下方に流れる冷媒については、低循環量の場合と概ね同様であり、第１下室流出空間７１ａを上昇するように流れる冷媒が各扁平多穴管２１ｂに分流されていき、一部の冷媒が第１下室ループ空間７１ｂにループしていく。
【０１４５】
なお、折返しヘッダ集合管２３の第２内部空間２３ｂについては、第１内部空間２３ａと同様である。また、第３内部空間２３ｃについては、説明を省略する。
【０１４６】
（８）空気調和装置１の室外熱交換器２０の特徴
（８−１）
本実施形態の室外熱交換器２０は、折返しヘッダ集合管２３の第１内部空間２３ａに対して、連絡配管２４を介して冷媒を高さ方向の中央近傍に導入することができている。そして、中央近傍に導入された冷媒、すなわち第１整流空間４１ａに供給された冷媒は、第１上室整流板４１に設けられている第１上室流入口４１ｘを通過して上方に流れる冷媒流れと、第１下室整流板６１に設けられている第１下室流入口６１ｘを通過して下方に流れる冷媒流れと、に分流される。このうち、第１上室流入口４１ｘを通過して上方に流れる冷媒は、扁平多穴管２１ｂが接続されている第１上室流出空間５１ａにおいて上昇しながら冷媒を分流させていくことができる。また、第１下室流入口６１ｘを通過して下方に流れる冷媒については、第１下室ループ空間７１ｂを降下した後に第１下室下連通路７１ｙを通過して、扁平多穴管２１ｂが接続されている第１下室流出空間７１ａに送られ、この第１下室流出空間７１ａにおいて上昇しながら冷媒を分流させていくことができる。
【０１４７】
ここで、連絡配管２４を介して冷媒を第１内部空間２３ａの高さ方向の中央近傍に導入しているため、第１上室流出空間５１ａにおいて冷媒が上昇する高さと第１下室流出空間７１ａにおいて冷媒が上昇する高さとに二分することができている。これにより、１つ当たりの冷媒上昇高さを低くすることが可能になっている。したがって、低循環量の場合であっても、第１上室流出空間５１ａと第１下室流出空間７１ａのいずれにおいても、冷媒を上端近傍に接続されている扁平多穴管２１ｂにまで導きやすくなっており、偏流を抑制することが可能になっている。
【０１４８】
この点は、第２内部空間２３ｂについても同様である。
【０１４９】
（８−２）
本実施形態の室外熱交換器２０では、第１内部空間２３ａにおいて、冷媒が第１上室流出空間５１ａの上端や第１下室流出空間７１ａの上端に達することがあっても、第１上室仕切板５１の周りや第１下室仕切板７１の周りをループさせるように冷媒を流すことができるため、再び、第１上室流出空間５１ａや第１下室流出空間７１ａに冷媒を導くことが可能になっている。
【０１５０】
この点は、第２内部空間２３ｂについても同様である。
【０１５１】
（８−３）
本実施形態の室外熱交換器２０では、第１上室流出空間５１ａ側と第１下室流出空間７１ａ側とに冷媒を分けて流すために第１整流空間４１ａが設けられている場合であっても、当該第１整流空間４１ａにも扁平多穴管２１ｂが接続されている。このため、室外熱交換器２０の熱交換部２１における熱交換容量を増大させることが可能になっている。
【０１５２】
この点は、第２内部空間２３ｂについても同様である。
【０１５３】
（８−４）
本実施形態の室外熱交換器２０では、第１上室流出空間５１ａにおける冷媒上昇高さと、第１下室流出空間７１ａにおける冷媒上昇高さと、第２上室流出空間５２ａにおける冷媒上昇高さと、第２下室流出空間７２ａにおける冷媒上昇高さと、第３流出空間５３ａにおける冷媒上昇高さと、が同等になるように構成されている。このため、第１上室流出空間５１ａと第１下室流出空間７１ａと第２上室流出空間５２ａと第２下室流出空間７２ａと第３流出空間５３ａとの間での冷媒の流れ方の違いを小さく抑えることが可能になっている。
【０１５４】
（８−５）
本実施形態の室外熱交換器２０の第１上室流出空間５１ａでは、低循環量の場合であっても、折返しヘッダ集合管２３の第１内部空間２３ａにおける第１上室流入口４１ｘおよび第１上室仕切板５１によって狭められた第１上室流出空間５１ａの構成によって、冷媒の上昇速度を維持させることで、第１上室流出空間５１ａの上方にまで冷媒を到達させやすくすることができる（第２内部空間２３ｂ、第３内部空間２３ｃも同様）。
【０１５５】
また、本実施形態の室外熱交換器２０は、高循環量の場合であっても、折返しヘッダ集合管２３の第１内部空間２３ａにおいて採用されたループ構造によって、冷媒を第１内部空間２３ａ内でループさせることで、冷媒を扁平多穴管２１ｂに導くことができる。
【０１５６】
以上により、本実施形態の室外熱交換器２０では、低循環量の場合であっても高循環量の場合であっても、いずれの場合であっても、上下方向に複数並んで配置された扁平多穴管２１ｂに対する冷媒の偏流を小さく抑えることができる。
【０１５７】
（８−６）
本実施形態の室外熱交換器２０では、出入口ヘッダ集合管２２の上方出入口内部空間２２ａ、２２ｂではなく、折返しヘッダ集合管２３の第４内部空間２３ｄ、２３ｅ、２３ｆでもなく、折返しヘッダ集合管２３の第１〜第３内部空間２３ａ、２３ｂ、２３ｃにおいて、ループ構造と整流構造を採用している。すなわち、暖房運転時において気相成分と液相成分が多く混在した冷媒が流れており、高さ位置の異なる扁平多穴管２１ｂの間での偏流が顕著になりがちな折返しヘッダ集合管２３の第１〜第３内部空間２３ａ、２３ｂ、２３ｃにおいて、ループ構造と整流構造が採用されている。
【０１５８】
このため、冷媒の偏流抑制効果をより十分に発揮させることが可能になっている。
【０１５９】
（８−７）
本実施形態の室外熱交換器２０の第１上室流入口４１ｘを通過して第１上室流出空間５１ａに流入した直後の冷媒は、上昇速度が最も早く、第１上室流出空間５１ａに接続された複数の扁平多穴管２１ｂのうち下方のものほど、通過されてしまいがちになる場合がある。
【０１６０】
これに対して、本実施形態の室外熱交換器２０では、折返しヘッダ集合管２３の第１内部空間２３ａにおいて、第１上室ループ空間５１ｂを降下してきた冷媒を、第１上室流出空間５１ａの下方に接続されている扁平多穴管２１ｂに導くことができるように、第１上室下連通路５１ｙの第１上室流出空間５１ａ側の出口が配置されている。
【０１６１】
このため、第１上室流入口４１ｘを介して第１上室流出空間５１ａに流入した流速の早い冷媒が通過しがちな下方に位置する扁平多穴管２１ｂに対して、第１上室下連通路５１ｙを介して第１上室流出空間５１ａに戻される冷媒を供給しやすくすることができている。
【０１６２】
なお、上述の点は、第２内部空間２３ｂの第２上室流出空間５２ａ、第３内部空間２３ｃの第３流出空間５３ａについても同様である。
【０１６３】
（９）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【０１６４】
（９−１）他の実施形態Ａ
上記実施形態では、第１内部空間２３ａの第１整流空間４１ａに対して扁平多穴管２１ｂが接続されている場合（第２内部空間２３ｂの第２整流空間４２ａも同様）を例に挙げて説明した。
【０１６５】
しかし、本発明はこれに限られるものではなく、例えば、図１７に示す折返しヘッダ集合管１２３のように、当該第１整流空間４１ａにおいて、連絡配管２４の第１中央流入口２４ａと、第１整流空間４１ａに接続されている扁平多穴管２１ｂの入口との間に、遮断部材８１を設けてもよい。
【０１６６】
このように遮断部材８１を設けることで、連絡配管２４の第１中央流入口２４ａから第１整流空間４１ａに接続されている扁平多穴管２１ｂに対して冷媒が集中的に流れてしまうことを抑制することができる。
【０１６７】
なお、上述した点は、第２内部空間２３ｂの第２整流空間４２ａも同様である。
【０１６８】
（９−２）他の実施形態Ｂ
上記実施形態では、第１上室流出空間５１ａと第１下室流出空間７１ａと第２上室流出空間５２ａと第２下室流出空間７２ａと第３流出空間５３ａにおける冷媒上昇高さが同等になるように構成した場合を例に挙げて説明した。
【０１６９】
しかし、本発明は、これに限られるものではなく、例えば、第１上室流出空間５１ａと第２上室流出空間５２ａと第３流出空間５３ａにおける冷媒上昇高さよりも、第１下室流出空間７１ａと第２下室流出空間７２ａにおける冷媒上昇高さが低くなるように構成してもよい。
【０１７０】
（９−３）他の実施形態Ｃ
上記実施形態では、板状部材である第１上室整流板４１において板厚方向に開口させた第１上室流入口４１ｘを設けた場合（第２上室流入口４２ｘ、第３流入口４３ｘも同様））を例に挙げて説明した。
【０１７１】
しかし、本発明は、これに限られるものではなく、例えば、板状部材に開口を形成して流入口を設ける代わりに、鉛直方向に延びた筒状の流入通路を設けてもよい。この場合には、筒状の流入通路を冷媒が通過する際に、より鉛直上方に向けて流出する冷媒速度を上げることが可能になる。
【０１７２】
なお、上述した点は、第２上室流入口４２ｘ、第３流入口４３ｘも同様である。
【０１７３】
（９−４）他の実施形態Ｄ
上記実施形態や他の実施形態においては、第１内部空間２３ａの第１上室整流板４１よりも上方の空間と、第２内部空間２３ｂの第２上室整流板４２よりも上方の空間と、第３内部空間２３ｃのうち第３整流板４３よりも上方の空間が同様の形態である場合を例に挙げて説明した。
【０１７４】
しかし、本発明は、これに限られるものではなく、これらの形態は、互いに異なっていてもよい。
【０１７５】
（９−５）他の実施形態Ｅ
上記実施形態では、伝熱フィンとして、図７、図８に示すような伝熱フィン２１ａのような平板部材を用いた場合を例に挙げて説明した。
【０１７６】
しかし、本発明は、これに限られるものではなく、例えば、主に自動車用熱交換器に用いられるコルゲートタイプの伝熱フィンを用いて構成される熱交換器に対しても適用することが可能である。
【符号の説明】
【０１７７】
１      空気調和装置
２      空調室外機
３      空調室内機
１０    ユニットケーシング
２０    室外熱交換器（熱交換器）
２１    熱交換部
２１ａ  伝熱フィン（フィン）
２１ｂ  扁平多穴管（扁平管）
２２  出入口ヘッダ集合管
２３  折返しヘッダ集合管（ヘッダ集合管）
２２ａ  上方出入口内部空間
２２ｂ  下方出入口内部空間
２３ａ、２３ｂ、２３ｃ、２３ｄ、２３ｅ、２３ｆ  第１〜第６内部空間（内部空間）
２４ａ  第１中央流入口（中央流入口）
２５ａ  第２中央流入口（中央流入口）
３１  ガス冷媒配管
３２  液冷媒配管
３３  膨張弁
４１  第１上室整流板
４１ａ  第１整流空間（中央入口室）
４１ｘ  第１上室流入口（上方流入口）
４２  第２上室整流板
４２ａ  第２整流空間（中央入口室）
４２ｘ  第２上室流入口（上方流入口）
５１  第１上室仕切板（上方仕切部材）
５１ａ  第１上室流出空間（上方第１空間）
５１ｂ  第１上室ループ空間（上方第２空間）
５１ｘ  第１上室上連通路（上室上方連通路）
５１ｙ  第１上室下連通路（上室下方連通路）
５２  第２上室仕切板（上方仕切部材）
５２ａ  第２上室流出空間（上方第１空間）
５２ｂ  第２上室ループ空間（上方第２空間）
５２ｘ  第２上室上連通路（上室上方連通路）
５２ｙ  第２上室下連通路（上室下方連通路）
６１  第１下室整流板
６１ｘ  第１下室流入口（下方流入口）
６２  第２下室整流板
６２ｘ  第２下室流入口（下方流入口）
７１  第１下室仕切板（下方仕切部材）
７１ａ  第１下室流出空間（下方第１空間）
７１ｂ  第１下室ループ空間（下方第２空間）
７１ｘ  第１下室上連通路（下室上方連通路）
７１ｙ  第１下室下連通路（下室下方連通路）
７２  第２下室仕切板（下方仕切部材）
７２ａ  第２下室流出空間（下方第１空間）
７２ｂ  第２下室ループ空間（下方第２空間）
７２ｘ  第２下室上連通路（下室上方連通路）
７２ｙ  第２下室下連通路（下室下方連通路）
８１  遮断部材
９１  圧縮機
１２３  折返しヘッダ集合管（ヘッダ集合管）
Ｘ  上側熱交換領域
Ｘ１、Ｘ２、Ｘ３  上側熱交換部
Ｙ  下側熱交換領域
Ｙ１、Ｙ２、Ｙ３  下側熱交換部
【先行技術文献】
【特許文献】
【０１７８】
【特許文献１】特開平２−２１９９６６号公報
【図１】
2015127620.tif 000003
【図２】
2015127620.tif 000004
【図３】
2015127620.tif 000005
【図４】
2015127620.tif 000006
【図５】
2015127620.tif 000007
【図６】
2015127620.tif 000008
【図７】
2015127620.tif 000009
【図８】
2015127620.tif 000010
【図９】
2015127620.tif 000011
【図１０】
2015127620.tif 000012
【図１１】
2015127620.tif 000013
【図１２】
2015127620.tif 000014
【図１３】
2015127620.tif 000015
【図１４】
2015127620.tif 000016
【図１５】
2015127620.tif 000017
【図１６】
2015127620.tif 000018
【図１７】
2015127620.tif 000019